(57)【要約】【課題】操作性及び保持性を改善した撮影装置を提供することを目的とするものである。【解決手段】ディスク状媒体を回転させるターンテーブル１２と、光ピックアップと、ディスク状媒体をターンテーブル１２に嵌合させた状態でディスク状媒体を覆うディスク開閉蓋１１とを備えるディスク装置部４と、撮影レンズ１から出力される映像信号を視認可能なモニター部３と、ディスク装置部４とモニター部３とが配置されているカメラ本体２とを備え、ディスク装置部４は、カメラ本体２を構成する外壁の内の１つの外壁に沿って配置され、モニター部３は、ディスク開閉蓋１１のターンテーブル１２の反対側の外面で、ディスク開閉蓋１１の投影面内に重畳して配置されている。【選択図】図１Ｃ
2006148877.tif 000002
【特許請求の範囲】
【請求項１】
情報層を備えたディスク状媒体を着脱可能でかつ、前記ディスク状媒体の情報層へ少なくとも映像信号を記録再生可能な撮影装置であって、
外部から入射される光学情報を撮像素子に結像させるレンズ部と、
前記ディスク状媒体の中心孔に嵌合するターンテーブルを備えた回転部と、前記情報層に対して前記映像信号を授受する光ピックアップと、前記ディスク状媒体を前記ターンテーブル部に嵌合させた状態で前記ディスク状媒体を覆うディスク開閉蓋とを備える記録再生部と、
前記撮像部から出力される映像信号を視認可能なモニター部と、
前記レンズ部、前記記録再生部、及び前記モニター部が配置されている本体部とを備え、
前記記録再生部は、前記本体部を構成する外壁の内の１つの外壁に沿って配置され、
前記モニター部は、前記ディスク開閉蓋の前記ターンテーブルの反対側の外面で、前記ディスク開閉蓋の投影面内に重畳して配置されていることを特徴とする撮影装置。
【請求項２】
前記記録再生部を備える前記１つの外壁は、前記レンズ部の光軸中心に対し平行に配置されている請求項１記載の撮影装置。
【請求項３】
前記情報層に映像信号の記録を開始または前記映像信号の記録を停止させる撮影操作部、及び前記撮像部から出力される映像信号をズーミング操作が可能なズーム操作部とを備える操作部と、
前記本体部の保持をアシストする保持アシスト部とをさらに備え、
前記操作部は前記保持アシスト部近傍に配置されている請求項１に記載の撮影装置。
【請求項４】
前記開閉蓋の外壁に前記回転部の方向に陥没する凹部を備え、前記凹部に前記モニター部を収納可能に構成されている請求項１に記載の撮影装置。
【請求項５】
前記モニター部の回動軸を前記ディスク開閉蓋の回動軸と同軸に形成されている請求項１に記載の撮影装置。
【請求項６】
前記ディスク開閉蓋と前記ターンテーブルとが対向する位置近傍に開口部を備える請求項１に記載の撮影装置。
【発明の詳細な説明】
【技術分野】
【０００１】
本発明は、情報層を備えたディスク状媒体に映像信号を記録させることができ、ディスク状媒体に記録された映像信号を再生することができる撮影装置に関する。
【背景技術】
【０００２】
撮影装置は、従来、各種カセットに収納されたテープに動画映像信号および音声信号を記録させるカムコーダや、撮影された静止画を半導体メモリに記録させる電子スチルカメラが主流であった。
【０００３】
ところが、映像圧縮技術が進み、少ない記録容量の情報媒体に動画を記録させることができるようになっている。さらに、ディスク状媒体の記録密度の向上や、ディスク状媒体に情報を記録再生するレーザ波長の短波長化の進化や、レンズや光ピックアップやトラバース等の光学部品の性能向上により、構成デバイスの小型化・薄型化が可能になっている。これにより、ディスク記録再生部を「手のひらサイズ」にすることができ、ディスク記録再生部を搭載したカムコーダが普及し始めている、また、ディスク記録再生部を電子スチルカメラに搭載させる構成も検討されつつある。
【０００４】
一方、電子スチルカメラは、ユーザーが覗き込むことで映像を視認できるビューファインダーとともに、本体表面に２〜４インチ程度の液晶ディスプレイで構成されたモニターを備えたものが多い。モニターは、表示面がレンズの光軸に直交するように配置されている。
【０００５】
また、カムコーダにおいても、近年、撮影スタイルの多様化及び撮影した映像信号をその場で再生する即時性等の要望で、ビューファインダーとともに、本体に収納自在なモニターを有するものが普及している。特許文献１（特開平１０−６５９４６号公報）には、モニターをカムコーダに収納可能な構成が記載されている。
【０００６】
特許文献１には、図７及び図８に示すように、テープカセット１０５をカムコーダ１０３に装着させることができるカセット装着部１０４を備え、モニター１０１をカセット装着部１０４の上に回動可能に備えられている。
【０００７】
ところで、ディスク状媒体において、情報層の記録密度が同じであれば、ディスクの記録容量は情報層の面積（すなわち、ディスク径）に比例するため、ディスク径が大きい方が記録容量の面では有利である。しかし、電子スチルカメラおよびカムコーダは専ら屋外で使用されるため、一般に普及されている直径１２ｃｍのディスクを着脱可能な構成にすると、本体が大型化してしまい、携帯性が悪くなる。よって、直径８ｃｍのディスクを着脱可能な構成にした方が、本体を小型化できる。
【０００８】
しかしながら、直径８ｃｍのディスクの記録面の面積は、カムコーダに適用されるテープカセット（例えば、幅が１／４インチの磁気テープが内蔵されたＤＶミニカセット）の主面の面積よりも大きいため、カムコーダにおけるディスクを収納するスペースが、ビデオテープカセットを装着可能なスペースに比べると約１．６倍以上大きくなってしまう。また、直径８ｃｍディスクは、メモリーカードなどの半導体メモリと比較すると主面の面積が圧倒的に大きく、本体を小型化することができない。
【０００９】
そこで、例えばディスク装置が搭載されたカムコーダは、図９Ａ〜図１１Ｃに示すような構成が提案されている。
【００１０】
図９Ａ〜図９Ｃに示すように、カムコーダは、撮影レンズ２０１と、カメラ本体２０２と、表示部２０３ａを備えたモニター２０３と、ディスク装置部２０４と、モニター回動軸２０５と、モニター用軸受２０６と、ファインダー２０７と、レリーズボタン２０８と、バンド２０９と、ディスク開閉蓋回動軸２１０と、ディスク開閉蓋２１１と、ターンテーブル２１２とを備えている。
【００１１】
図９Ａ〜図９Ｃに示すように、ディスク装置部２０４とモニター２０３とは、カメラ本体２０２におけるそれぞれ相対向する側面に配置されている。バンド２０９は、ディスク装置部２０４のディスク開閉蓋２１１に配されている。バンド２０９とディスク開閉蓋２１１との間には、ユーザーの手を挿入可能な隙間がある。
【００１２】
カムコーダで撮影を行う際は、図９Ａ、図９Ｂ、図９Ｃに示す状態において、モニター２０３を、モニター回動軸２０５を軸に、矢印Ｚに示す方向へ回転させて、図１０Ａ及び図１０Ｂに示す状態に移行させる。
【００１３】
次に、図１０Ａ及び図１０Ｂにおいて、バンド２０９とディスク開閉蓋２１１との間にユーザが手を挿入し、カムコーダを手でホールドする。次に、ユーザは、電源ボタン（図示せず）を操作してカムコーダの電源をオンにすることで、カムコーダに内蔵されている撮像素子や電気回路において信号処理が行われ、撮像素子で撮像されている光学情報を元に映像信号が生成される。生成される映像信号は、ファインダー２０７またはモニター２０３に表示される。ユーザーは、ファインダー２０７またはモニター２０３に表示されている撮像中の映像を見ながら、レリーズボタン２０８を押下することで、撮像されている映像信号（静止画または動画）を、ディスクに記録させることができる。
【００１４】
また、ディスクに記録されている動画または静止画を再生させる際、再生された映像信号はファインダー２０７またはモニター２０３に表示される。なお、再生された映像信号は、モニター２０３の表示部２０３ａで視認することが好ましい。なぜなら、モニター２０３の表示部２０３ａのサイズが、ファインダー２０７の表示部のサイズよりも大きく、視認しやすいからである。
【００１５】
なお、ディスクを、ディスク装置部２０４に対して着脱させる際には、図１０Ａにおいてディスク開閉蓋２１１を、ディスク開閉蓋回動軸２１０を軸に回動させ、図１１Ａ及び図１１Ｂに示すように開蓋状態にする。この状態で、ディスク２１２を、ターンテーブルに対して着脱させることができる。
【００１６】
ここで、特許文献１に開示の構成は、ＤＶミニカセットの外形寸法がＶＨＳ−Ｃ方式のテープカセットの外形寸法に比べ小さく、ＤＶミニカセットに対応したメカニズムがＶＨＳ−Ｃ方式に対応したメカニズムよりも小さくできるため、カセット装着部１０４の外側にモニター１０１を収納できるスペースを備えることができる。
【００１７】
しかしながら、図９Ａ〜図１１Ｃに示すように、ディスク装置が搭載されたカムコーダは、直径８ｃｍのディスクを収納するスペースを要するため、ディスク装置部２０４が嵩高くなってしまう。よって、ディスク装置部２０４を、カメラ本体２０２の側面に配置せざるを得ない。
【００１８】
また、例えば、モニター２０３を搭載せず、ファインダー２０７のみが搭載されたカムコーダであれば、ディスク装置部２０４をカメラ本体２０２の一方の側面に配置させ、バンド２０９をカメラ本体２０２の他方の側面に配置させ、レリーズボタン２０８を親指が届く位置に配置させ、撮影レンズ２０１の焦点距離を変更するズームボタンを人差し指及び中指が届く位置（例えば図８におけるズームスイッチ１０７のように、カメラ本体２０２の上面）に配置させることができる。
【特許文献１】特開平１０−６５９４６号公報
【発明の開示】
【発明が解決しようとする課題】
【００１９】
しかしながら、図９Ａ〜図１１Ｃに示すように、ファインダー２０７とモニター２０３の両方を備えるカムコーダの場合は、ディスク装置部２０４をカメラ本体２０２の一方の側面に配置させ、モニター２０３をカメラ本体２０２の他方の側面に配置させなければならない。さらに、バンド２０９は、図１０Ａに示すように、モニター２０３側には取り付けることができず、ディスク開閉蓋２１１の外側に取り付けなければならない。このような構成において、ユーザーが片手（通常は右手）でカムコーダをホールドすることを想定して、レリーズボタン２０８を親指が届く位置に配置させることができる。しかし、図８に示すように、ズームボタン１０７は、カメラ本体２０２の上面に配置させようとすると、ディスク装置２０４が嵩高いため、ズームボタン１０７に人差し指や中指が届きにくい可能性がある。したがって、ズーム操作が困難になるという課題があった。
【００２０】
また、カムコーダを、バンド２０９で手にホールドした際、ディスク装置部２１１が嵩高い上に、ディスク装置部２１１の表面は図９Ｂに示すように略平面であるため、グリップ性が低いという課題があった。すなわち、カムコーダを手でホールドした際、手のひらはほぼ開ききった状態を維持する必要があり、手のひらをすぼめにくく、カメラ本体２０２を保持するグリップ性が低下し、撮影時にカメラ本体２０２の重量で滑りやすくなってしまうという課題があった。
【００２１】
本発明は、上記問題点に鑑みなされたもので、操作性及び保持性を改善した撮影装置を提供することを目的とする。
【課題を解決するための手段】
【００２２】
上記問題を解決するために本発明の撮影装置は、情報層を備えたディスク状媒体を着脱可能でかつ、前記ディスク状媒体の情報層へ少なくとも映像信号を記録再生可能な撮影装置であって、光学情報を映像信号に変換する撮像部に、前記光学情報を結像するレンズ部と、前記ディスク状媒体の中心孔に嵌合するターンテーブルを備えた回転部と、前記情報層に対して前記映像信号を授受する光ピックアップと、前記ディスク状媒体を前記ターンテーブル部に嵌合させた状態で前記ディスク状媒体を覆うディスク開閉蓋とを備える記録再生部と、前記撮像部から出力される映像信号を視認可能なモニター部と、前記レンズ部、前記記録再生部、及び前記モニター部が配置されている本体部とを備え、前記記録再生部は、前記本体部を構成する外壁の内の１つの外壁に沿って配置され、前記モニター部は、前記ディスク開閉蓋の前記ターンテーブルの反対側の外面で、前記ディスク開閉蓋の投影面内に重畳して配置されている構成を有する。
【発明の効果】
【００２３】
上記構成により、モニターをディスク開閉蓋上に配置させているため、撮影装置の操作性及び保持性を向上させることができる。
【発明を実施するための最良の形態】
【００２４】
本発明の撮影装置は、前記記録再生部を備える前記１つの外壁は、前記レンズ部の光軸中心に対し平行に配置されている構成とすることができる。この構成により、記録再生部及びモニター部を備えた撮影装置を小型化できる。
【００２５】
また、前記情報層に映像信号の記録を開始または前記映像信号の記録を停止させる撮影操作部、及び撮像部から出力される映像信号のズーミング操作が可能なズーム操作部とを備える操作部と、前記本体部の保持をアシストする保持アシスト部とをさらに備え、前記操作部は前記保持アシスト部近傍に配置されている構成とすることができる。この構成により、撮影に関わる各種操作を片手に集中することができ、撮影の操作性を向上することができる。
【００２６】
また、開閉蓋の外壁に、回転部の方向に陥没する凹部を備え、この凹部にモニター部を収納する構成とすることができる。この構成により、記録再生部及びモニター部を備える撮影装置の収納状態をよりコンパクト化することができる。
【００２７】
また、モニター部の回動軸をディスク開閉蓋の回動軸と同軸に形成した構成とすることができる。この構成により、軸受を１つにすることができることで材料コストが低減でき、それぞれ独立した軸受を備える構成に比べると撮影装置を小型化することができる。
【００２８】
また、前記ディスク開閉蓋と前記ターンテーブルとが対向する位置近傍に開口部を備える構成とすることができる。この構成により、記録再生部が備えるターンテーブルの突出を開口部で吸収することができ、記録再生部の薄型化を図ることができ、以て撮影装置の小型薄型化を実現することができる。
【００２９】
（実施の形態１）
次に、図面を参照して、本発明の撮影装置の好ましい実施形態について説明する。なお、以下の説明においては、撮影装置に装着可能なディスク状媒体は、カートリッジに収納されていないディスク（ベアディスクとも称される）で説明するが、カートリッジに収納されているディスクであってもよい。カートリッジに収納されたディスク状媒体を使用可能な撮影装置は、カートリッジ装着部材を追加するだけでよく、主要な構成はベアディスクを使用可能な撮影装置と同一である。
【００３０】
また、実施形態の撮影装置は、ＤＶＤ（Digital Versataile Disk）に情報信号の記録再生が可能なディスク記録再生装置と、撮影中の映像やＤＶＤから再生された映像などを表示可能なモニターとを備えたカムコーダを例に説明するが、ディスク記録再生装置とモニターとを備える撮影装置であればよい。また、撮影装置に着脱可能な情報媒体は、ＤＶＤよりもさらに高密度のディスク状媒体であってもよい。また、ディスク状媒体のディスク径は、直径１２ｃｍや８ｃｍに限らす、他のディスク径でもよい。また、カムコーダに限らず、電子スチルカメラであってもよい。いずれのバリエーションにおいても、得られる作用効果は同じである。
【００３１】
図１Ａは、実施の形態１におけるカムコーダにおいてモニターを収納させた状態を示す正面図である。図１Ｂは平面図、図１Ｃはモニター側からみた側面図である。
【００３２】
図１Ａ〜図１Ｃにおいて、カメラ本体２は、撮影レンズ１を介して入射される光信号を電気信号へ変換させる撮像素子や、信号処理回路などが搭載された回路基板や、ディスク状媒体を駆動させるメカニズムなどが内蔵されている。モニター３は、カメラ本体２の側面に回動自在に配置されており、撮影中の映像やディスク状媒体から再生された映像などを表示可能な表示素子３ｃを備えている。表示素子３ｃは、例えば液晶ディスプレイから構成されているが、これに限るものではなく有機ＥＬ素子などであってもよい。ディスク装置部４は、内部にディスク状媒体を着脱可能であり、装着されたディスク状媒体に対して情報の記録または再生をすることができる。モニター回動軸５は、モニター３を回動自在に軸支させている。ファインダー７は、撮影中の映像やディスク状媒体から再生された映像などを表示可能であり、ユーザーが覗き込むことで視認可能な構造となっている。レリーズボタン８は、ユーザによって動画あるいは静止画の撮影操作ができ、カメラ本体２におけるユーザーの親指で操作可能な位置に配置されている。バンド９は、ユーザが手を挿入することで、カムコーダを安定して保持することができる。またバンド９は、カメラ本体２において、モニター３やディスク装置部４が配された側面に対向する側面に配されている。ディスク開閉蓋１１は、ディスク装置部４に対して開閉可能で、ディスク開閉蓋回動軸１０を軸に回動自在に配されている。軸受１３は、カメラ本体２の側面に設けられ、モニター回動軸５とディスク開閉蓋回動軸１０とを支持している。モニターリブ１４は、モニター回動軸５とモニター３とを連結させており、モニター３と一体に構成してもよいし、別体に構成してもよい。別体で構成した場合は、モニターリブ１４内にモニター回動軸５に直交した軸を配し、軸を中心にモニター３をモニターリブ１４に対して回動自在に構成することが好ましい。ディスク開閉蓋リブ１５は、ディスク開閉蓋１１とディスク開閉蓋回動軸１０とを連結している、ズーム操作ボタン１６は、レンズの焦点位置を変更させるよう操作が可能であり、カメラ本体２の上面に配置されている。
【００３３】
図１Ａ、図１Ｂ、図１Ｃに示すように、本実施形態の撮影装置は、ディスク装置部４とモニター３とがカメラ本体２の一方の側面に配置され、ユーザーがカメラ本体２を保持する保持アシストであるバンド９のみがカメラ本体２の他方の側面に配置されている。これにより、カメラ本体２におけるベルト９が配された側面の高さ寸法は、ディスク装置部４の高さ寸法に依存せず、低くすることができる。
【００３４】
よって、ユーザーが、カメラ本体２の側面とバンド９との間隙に下方向から手を挿入して、カメラ本体２を手で保持する際に、カメラ本体２の側面から上面に沿って指を折り曲げて保持することができる。したがって、ディスク装置部４とモニター３とを双方備えながら、テープカセットを適用可能なデジタルカムコーダと同じように良好な保持性が実現できる。
【００３５】
また、図１Ｂに示すように、レリーズボタン８及びズームボタン１６は、デジタルカムコーダと同様の位置に配置させることが可能である。よって、撮影を行う際に必要なボタン操作が全て片手で行えるため、例えば図９Ｂに示した従来のカムコーダの操作性と比べると、操作性の向上効果は顕著である。
【００３６】
次に、図２Ａは本実施形態のカムコーダにおける撮影時の状態を示す平面図であり、図２Ｂはカムコーダの正面図である。図示されているように、撮影者はファインダー７を介して撮影対象を選択することもできるが、ファインダー７だけでは極めて狭い範囲しか視認できないため、モニター３を介して撮影対象を選択すると便利である。撮影者はバンド９の内側に右手を挿入し、親指はレリーズボタン８に添え、残りの指は円弧状の曲面に沿って曲げる姿勢でカムコーダを保持できるため、上述したように保持性が良好な上撮影の際のボタン操作は片手で完結させることができる。
【００３７】
モニター３は、撮像中の映像などが表示されるディスプレイが目視可能に内蔵されているとともに、モニターリブ１４が一体に配されている。モニターリブ１４の先端には、モニター回動軸５が挿通され、モニター３をカメラ本体２の軸受１３に回動自在に軸支している。なお、モニター３は、モニターリブ１４及びモニター３の長さを半径として、ディスク開閉蓋１１から所定の角度だけ、モニター回動軸５を軸に回動する。撮影者は、回動したモニター３に映し出されている映像を見ながら、撮影対象をズーム操作ボタン１６のズームアップまたはズームダウンすることにより、レンズ１の焦点距離を調整することができる。また、レリーズボタンを押下することで、撮影を開始または停止させることができる。
【００３８】
なお、本実施形態ではモニター回動軸５を支持している軸受１３の軸孔は、カメラ本体２の表面から少し離れた位置に配されているため、モニター３を図１の位置から図２の位置で回動させる際に、モニター３とカメラ本体２との干渉を防ぐことができる。よって、モニター３の回動角度を大きくすることができ、撮影時や再生時におけるモニター３の視認性を向上させることができる。
【００３９】
次に、カムコーダにディスク状媒体を着脱させる際の動作について説明する。
【００４０】
図３Ａはカムコーダにディスク状媒体を着脱可能な状態の平面図、図３Ｂは正面図である。カムコーダにおいてディスク状媒体を交換する際は、ディスク開閉蓋１１が閉じた状態（図２Ａ及び図２Ｂ参照）から、ディスク開閉蓋１１をディスク開閉蓋回動軸１０を軸に矢印Ｂに示す方向へ回動させて、図３Ａ及び図３Ｂに示す状態にする。図３Ａ及び図３Ｂに示すようにディスク開閉蓋１１が開かれると、ターンテーブル１２が露出した状態になる。次に、ターンテーブル１２に不図示のディスク状媒体を装着し、その後ディスク開閉蓋１１を矢印Ｃに示す方向へ回動させて、ディスク装置部４を閉害状態にすることで、ディスク状媒体の装着は完了する。
【００４１】
なお、上記説明は、ディスク状媒体が装着されていないカムコーダに、新たにディスク状媒体を装着する場合について説明しているが、ディスク装置部４に装着され映像音声信号等を記録させていたディスク状媒体を、別のディスク状媒体に交換する場合も同様に装着動作を行うことができる。すなわち、カムコーダに装着されている記録済みのディスク状媒体を、ターンテーブル１２から取り外した後に、別のディスク状媒体を装着するだけであり、装着動作は前述と全く同じである。また、本実施形態におけるターンテーブル１２には、ディスク状媒体の中心孔に対し嵌合され、ディスク状媒体を保持することができるクランパ機能も備わっている。
【００４２】
図１１に示した従来のＤＶＣの構成では、バンド２０９に挿入させていた片手（図では右手）を、一旦バンド２０９から外した後、ディスク開閉蓋２１１を開きディスク状媒体の装着または交換を行っていた。これに対して本実施形態にかかるカムコーダでは、図３Ａ及び図３Ｂに示すように、カメラ本体２においてベルト９とディスク装置部４とを互いに異なる側面に配したので、カメラ本体２を片手（図示の構成では右手）で保持しながら、もう一方の手（図示の構成では左手になる）でディスク状媒体の装着または交換することができる。よって、ディスク状媒体の装着または交換動作に要する時間を短縮でき、操作性を向上させることができる。
【００４３】
また、ディスク開閉蓋１１がディスク開閉蓋回動軸１０を軸に回動する動作と、モニター３がモニター回動軸５を軸に回動する動作とは、互いに独立して行えるように構成されている。よって、図１Ａ〜図１Ｃに示す状態からディスク開閉蓋１１を矢印Ａに示す方向へ回動させて図３Ａ〜図３Ｂに示す状態へ移行し、ディスク状媒体をターンテーブル１２に装着してディスク開閉蓋１１を閉じると、モニター３は図２に示した状態が維持されるため、撮影動作に対する俊敏性がさらに向上でき、撮影に対する高い操作性を実現できる。
【００４４】
なお、本実施形態では前述したようにベアディスクの場合であるが、ケースに収納されたディスク状媒体（いわゆるカートリッジ）を着脱可能な構成としてもよい。その場合は、カートリッジを保持させることができるカートリッジ係合部を、ディスク開閉蓋１１とディスク装置部４との開口の間に備え、さらにカートリッジに収納されたディスク状媒体をターンテーブル１２に押圧させるクランパを備えることで実現できる。
【００４５】
図４Ａ及び図４Ｂは、本実施形態のモニター３に液晶表示素子を適用した場合の拡大平面図と分解側面図である。図４Ａ及び図４Ｂに示すように、モニター３は、モニターカバー３ａと、モニターカバー３ａの内側の空洞部３ｂと、液晶表示素子などで構成される表示素子３ｃと、フレキシブルプリント配線板（以下、ＦＰＣと称す）３ｄと、端子電極３ｅと、ＦＰＣ押さえ部材３ｆと、透明保護部材３ｇとを備えている。また、モニターリブ１４の先端近傍には、モニター回動軸５が嵌合されるモニター回動軸受５ａが形成されている。また、モニターリブ１４の内部には、モニターリブ空洞部１４が形成されている。
【００４６】
モニター３を組み立てる際は、図４Ｂに示すように、まず、液晶駆動電流を供給する端子電極３ｅを備えたＦＰＣ３ｄと、表示素子３ｃとを接続する。次に、ＦＰＣ３ｄが接続された表示素子３ｃを、モニターカバー３ａの空洞部３ｂに挿入する。その際に、ＦＰＣ３ｄを、モニターリブ空洞部１４ａに挿入させると共に、モニター回動軸５を巻くようにして配置させる。次に、表示素子３ｃの表示面を保護する透明保護部材３ｇを貼り付ける。次に、ＦＰＣ押さえ部材３ｆをモニターリブ空洞部１４ａ内に装着することで、モニターリブ空洞部１４ａ内およびモニター回動軸５の外周に配置されたＦＰＣ３ｄを固定させることができる。
【００４７】
上記のように組み立てることで、端子電極３ｅはカメラ本体２（実際にはカムコーダに装着するバッテリー）から表示素子３ｃの液晶を駆動する電流を供給させることができ、しかもＦＰＣ３ｄの配線がカムコーダから露出することがない。よって、断線等のトラブルを抑制でき、高信頼性を有するモニター動作を実現することができると共に、品質の高いカムコーダを提供できる。
【００４８】
なお、本実施形態においては、モニター回動軸５とディスク開閉蓋回動軸１０とを独立させ、しかも軸受１３での配置がモニター回動軸５はディスク開閉蓋回動軸１０よりもレンズ１の光軸方向で外側にあるため、モニター３への電流供給経路が簡単に構成できる。
【００４９】
次に、ディスク開閉蓋の他の実施形態について説明する。
【００５０】
図５Ａはディスク開閉蓋１７の右側の側面図である。図５Ｂはディスク開閉蓋１７の平面図である。図５Ｃはディスク開閉蓋１７の底面図である。図５Ｄは図５ＢにおけるＹ−Ｙ部の断面図である。図５Ａ〜図５Ｄにおいて、ディスク開閉蓋１７は、ディスク開閉蓋１７の表面側に形成されかつモニターを収容可能な大きさを有するモニター収納凹部１８と、ディスク開閉蓋１７の内面側に形成されかつディスクを収容可能な凹部で構成されている厚み逃げ部１９と、ディスク開閉蓋リブ２０と、ディスク開閉蓋軸受２１と、ディスク開閉蓋係止部２２とを備えている。
【００５１】
図５Ａ〜図５Ｄにおいて、ディスク開閉蓋１７がディスク開閉蓋１１（図１Ａ参照）と異なる点は、モニター収納凹部１８を備える構成である。モニター収納凹部１８を備えることで、後述するようにカムコーダのモニターを収納状態にした際に、モニター収納凹部１８にモニターが入り込み、カムコーダの側面の厚みを薄くすることができる。
【００５２】
また、図５Ａ〜図５Ｄに示すように、ディスク開閉蓋１７に厚み逃げ部１９を備える構成を採用すれば、ディスク装着部４に装着されたディスク状媒体が厚み逃げ部１９の深さだけ埋没するため、カムコーダの側面の厚みをさらに薄くすることができるとともに、カムコーダの凹凸を抑制することにより品位が向上する。
【００５３】
なお、ディスク開閉蓋１７にモニター収納凹部１８及び／または厚み逃げ部１９を備えると、ディスク開閉蓋１７の機械的強度が低下して変形することが想定されるが、変形を引き起こす外力が作用するのは、カムコーダで撮影を実施していない状態や持ち運び状態において、ディスク開閉蓋１７が物に当たる時などである。しかしながら、本実施形態のカムコーダは、持ち運び状態ではモニター収納凹部１８にモニターを収納させた状態であるため、収納されたモニターがディスク開閉蓋１７の変形を防止している。
【００５４】
さらに、図５Ｄに示すようにターンテーブル１２に対応するディスク開閉蓋１７の位置に開口部２３を備えると、ターンテーブル１２と厚み逃げ部１９の面との当接を抑制することができ、一層の薄型化ができる。なお、ディスク装置においてターンテーブル１２周辺に開口を備えることは、周囲環境に存在する埃等が混入する可能性があるが、モニター付きのカムコーダにおいて開口部２３が開放される状態（すなわち撮影状態）は、時間的に短く、殆どの時間はモニター３を収納した状態で持ち歩くことが多い。本実施形態においては、持ち歩くときはモニター３により開口部２３が塞がれる構成であるため、事実上周囲環境の埃等によりディスク装置部４のピックアップ等を汚染することがない。
【００５５】
なお、本実施形態ではターンテーブル１２に対応するディスク開閉蓋１７に開口を形成する場合について説明したが、厚み逃げ部１９におけるターンテーブル１２に対向する部位に、ターンテーブル１２が挿入可能な非貫通の穴を形成してもよい。このように構成することで、ディスク開閉蓋１７を閉じた際に、ターンテーブル１２の先端が前記穴に挿入させることができるので、撮影時において埃がディスク装置部４に混入する危険性を抑制しながら、薄型化を実現できる。
【００５６】
さらに、開口部２３または非貫通の穴は、ターンテーブルに対向する場所に形成される構成について説明したが、例えばディスク状媒体がカートリッジに収納されている場合等に多く見受けられるディスク状媒体をターンテーブルに押圧するいわゆるクランパを備える構成では、当該クランパに対応する部分に開口部２３または非貫通の穴を備える構成とすることは当然である。要は、ディスク装置部４にディスク状媒体を装着したときに、最もディスク開閉蓋１７側に突出する部分に対応して、開口部２３または非貫通の穴を備えればよい。
【００５７】
次に、ディスク開閉蓋１７が搭載されているカムコーダの別の実施形態を説明する。
【００５８】
図６Ａはディスク開閉蓋１７が搭載されたカムコーダの正面図である。図６Ｂはモニター３側の側面図である。図６Ｃは平面図である。図６Ａ〜図６Ｃにおいて、図１Ａ〜図１Ｃと同様の構成については、同一番号を付与して詳細説明は省略する。回動軸２４は、ディスク開閉蓋軸受２０とモニター回動軸受５ａとを貫通して配され、モニター３を回動自在に軸支している。また、回動軸２４は、両端が軸受２５に支持されている。
【００５９】
図６Ａ〜図６Ｃに示すように、本実施形態におけるモニター３に電流を供給するＦＰＣ３ｄ等は、図４で説明した構成と同じ構成が採用でき、同じ効果が得られる。また、モニター３をディスク開閉蓋１７のモニター収納凹部１８に収納させることができるので、モニター３の突出量を低減させることができる。さらに、厚み逃げ部１９及び／または開口部２３（または非貫通の穴）を形成することにより、ディスク装置部４及びディスク開閉蓋１７の総突出量も低減することができ、小型・薄型化及び高品位性を備えたカムコーダを実現することができる。
【００６０】
なお、何れの実施形態の説明でも、保持アシスト部として片手の手のひらを挿入するバンド９を例に挙げて説明したが、バンドに限定せず、例えばガングリップ等と称されるカメラ本体の下面から突出した把持部であってもよい。また、例えば電子スチルカメラ等の静止画カメラにおける手ぶれを防止するためカメラ本体のサイド部に、レンズの光軸方向に突出して形成されたグリップ等を除外するものではなく、カメラ本体の片手での保持を助ける機能と、シャッターまたはレリーズボタンに片手の指で操作できる操作機能とを備えていればよい。
【００６１】
また、上記実施形態では、ディスク状媒体に情報信号を記録再生可能なカムコーダを例に挙げて説明したが、電子スチルカメラの場合には通常モニター表示面はレンズの裏側で視認できるように配置されているので、モニターの画面の配置方向が異なるだけであり、ディスク開閉蓋の投影面内に重畳して配置することによる小型・薄型化に対する効果は同じである。また、電子スチルカメラに、図１Ａ等に示すような回動可能なモニターを搭載することで、いわゆる「自分撮り」と称される撮影者も含めての撮影が可能になる。
【産業上の利用可能性】
【００６２】
本発明は、横型、縦型タイプ他種々の形態に応用可能な、小型化と操作性とを向上させた各種撮影装置に幅広く適用できる。
【図面の簡単な説明】
【００６３】
【図１Ａ】本発明の実施の形態１に係る撮影装置の構成を示す正面図
【図１Ｂ】実施の形態１に係る撮影装置の構成を示す平面図
【図１Ｃ】実施の形態１に係る撮影装置の構成を示す側面図
【図２Ａ】実施の形態１に係る撮影装置の撮影状態を示す平面図
【図２Ｂ】実施の形態１に係る撮影装置の構成を示す正面図
【図３Ａ】実施の形態１に係る撮影装置のディスク交換時の状態を示す平面図
【図３Ｂ】実施の形態１に係る撮影装置のディスク交換時の状態を示す正面図
【図４Ａ】実施の形態１におけるモニターの構成を示す正面図
【図４Ｂ】実施の形態１におけるモニターの構成を示す分解側面図
【図５Ａ】撮影装置の他の実施形態におけるディスク蓋の構成を示す左側面図
【図５Ｂ】撮影装置の他の実施形態におけるディスク蓋の構成を示す平面図
【図５Ｃ】撮影装置の他の実施形態におけるディスク蓋の構成を示す底面図
【図５Ｄ】図５ＢにおけるＹ−Ｙ部の断面図
【図６Ａ】撮影装置の別の実施形態の構成を示す正面図
【図６Ｂ】撮影装置の別の実施形態の構成を示す平面図
【図６Ｃ】撮影装置の別の実施形態の構成を示す側面図
【図７】従来の撮影装置を示す斜視図
【図８】従来の撮影装置を示す平面図
【図９Ａ】従来の撮影装置の他例を示す正面図
【図９Ｂ】従来の撮影装置の他例を示す平面図
【図９Ｃ】従来の撮影装置の他例を示す側面図
【図１０Ａ】従来の撮影装置の撮影状態を示す平面図
【図１０Ｂ】従来の撮影装置の撮影状態を示す正面図
【図１１Ａ】従来の撮影装置のディスク交換時の状態を示す平面図
【図１１Ｂ】従来の撮影装置のディスク交換時の状態を示す正面図
【符号の説明】
【００６４】
１  撮影レンズ
２  カメラ本体
３  モニター
４  ディスク装置部
５  モニター回動軸
７  ファインダー
８  撮影開始停止ボタン
９  バンド
１０  ディスク開閉蓋回動軸
１１  ディスク開閉蓋
１２  ターンテーブル
１３  軸受
１４  モニターリブ
１５  ディスク開閉蓋リブ
１６  ズーム操作ボタン
【図１Ａ】
2006148877.tif 000003
【図１Ｂ】
2006148877.tif 000004
【図１Ｃ】
2006148877.tif 000005
【図２Ａ】
2006148877.tif 000006
【図２Ｂ】
2006148877.tif 000007
【図３Ａ】
2006148877.tif 000008
【図３Ｂ】
2006148877.tif 000009
【図４Ａ】
2006148877.tif 000010
【図４Ｂ】
2006148877.tif 000011
【図５Ａ】
2006148877.tif 000012
【図５Ｂ】
2006148877.tif 000013
【図５Ｃ】
2006148877.tif 000014
【図５Ｄ】
2006148877.tif 000015
【図６Ａ】
2006148877.tif 000016
【図６Ｂ】
2006148877.tif 000017
【図６Ｃ】
2006148877.tif 000018
【図７】
2006148877.tif 000019
【図８】
2006148877.tif 000020
【図９Ａ】
2006148877.tif 000021
【図９Ｂ】
2006148877.tif 000022
【図９Ｃ】
2006148877.tif 000023
【図１０Ａ】
2006148877.tif 000024
【図１０Ｂ】
2006148877.tif 000025
【図１１Ａ】
2006148877.tif 000026
【図１１Ｂ】
2006148877.tif 000027